(57)【要約】【課題】  従来の技術によると、無線タグを利用した入退室管理の場合、本来入退室が登録許可されている特定ユーザ以外のユーザが入退室可能な無線タグを所持した場合には、登録許可されていないユーザが入退室できてしまうという課題がある。【解決手段】  所定エリアに設置される管理装置の受信装置に情報を送信する無線タグであって、固有のタグＩＤを記憶する記憶部と、ユーザ個人を識別できる情報を入力するユーザＩ／Ｆと、ユーザＩ／Ｆから入力されたユーザ個人を識別できる情報を取り込みタグＩＤと組み合わせた情報を送信する処理部を有するように構成する。【選択図】  図１
2018106570.tif 000002
【特許請求の範囲】
【請求項１】
所定エリアに設置される管理装置の受信装置に情報を送信する無線タグであって、
固有のタグＩＤを記憶する記憶部と、
ユーザ個人を識別できる情報を入力するユーザＩ／Ｆと、
該ユーザＩ／Ｆから入力された前記ユーザ個人を識別できる情報を取り込み前記タグＩＤと組み合わせた情報を送信する処理部を有することを特徴とする無線タグ。
【請求項２】
請求項１に記載の無線タグであって、
起動するトリガ信号を受信する受信アンテナと、
処理を行うための電池を有し、
前記トリガ信号を受信したことをトリガとして前記処理部は前記ユーザ個人を識別できる情報を取り込むことを特徴とする無線タグ。
【請求項３】
請求項１または２に記載の無線タグであって、
前記ユーザ個人を識別できる情報は、暗証番号であることを特徴とする無線タグ。
【請求項４】
所定エリアに設置される管理装置と該管理装置の受信装置に情報を送信する無線タグを用いたセキュリティシステムであって、
前記無線タグは、固有のタグＩＤを記憶する記憶部と、ユーザ個人を識別できる情報を入力するユーザＩ／Ｆと、該ユーザＩ／Ｆから入力された前記ユーザ個人を識別できる情報を取り込み前記タグＩＤと組み合わせた情報を送信する処理部を有し、
前記管理装置は、予め記憶している前記無線タグのタグＩＤとその無線タグを使用するユーザ固有の識別情報と、前記受信装置を介して前記無線タグから受信したタグＩＤと前記ユーザ個人を識別できる情報との照合を行うことを特徴とするセキュリティシステム。
【請求項５】
請求項４に記載のセキュリティシステムであって、
前記無線タグを起動するためのトリガ信号を送信するトリガ送信装置を有し、
前記無線タグは、前記トリガ信号を受信する受信アンテナと、処理を行うための電池を有し、前記トリガ信号を受信したことをトリガとして前記処理部は前記ユーザ個人を識別できる情報を取り込み、前記タグＩＤと組み合わせた情報を送信することを特徴とするセキュリティシステム。
【請求項６】
請求項４または５に記載のセキュリティシステムであって、
前記ユーザ個人を識別できる情報は、暗証番号であることを特徴とするセキュリティシステム。
【発明の詳細な説明】
【技術分野】
【０００１】
本発明は無線タグを用いたセキュリティシステムのセキュリティレベルの向上に関する。
【背景技術】
【０００２】
無線タグを用いたセキュリティシステムとして、例えば、ビル、マンションなどの入室者の認証を行なう入室管理システムなどがあり、広く利用されている。また、無線タグの種類としては、自らが電波を発信するアクティブタグ方式やリーダー装置から出力される電界を利用して駆動するパッシブタグ方式、また、あるエリアに備えられた電界（以降、トリガ信号と称す）を利用して駆動し電波を出力するセミアクティブタグ方式などがある。
【０００３】
本技術分野の背景技術として、特開２０１５−２２８１３４号公報（特許文献１）がある。特許文献１には、入退場管理システムは、入退場管理エリアに設置され、ＲＦタグとの間でＩＤを送信又は受信する親局であるセキュリティ装置を備え、ＲＦタグは、自身を一意に識別するための固定ＩＤと、事前登録により入退場管理エリアへの入退場を可能にする変動ＩＤとを記憶する記憶部と、セキュリティ装置からの位置ＩＤ及び変動ＩＤを受信する受信部と、受信した変動ＩＤと自身が保持している変動ＩＤとのＩＤが合致するか否かを判別する制御部と、制御部が受信した変動ＩＤと自身が保持している変動ＩＤとのＩＤが合致した場合、自身の固定ＩＤと共に位置ＩＤを発信する発信部と、を備える構成が開示されている。
【先行技術文献】
【特許文献】
【０００４】
【特許文献１】特開２０１５−２２８１３４号公報
【発明の概要】
【発明が解決しようとする課題】
【０００５】
特許文献１は、異なる入退場管理エリアへの入退場を認識することができる入退場管理システムを提供できるが、本来入退場が登録許可されている特定ユーザ以外のユーザが入退場可能なＲＦタグを所持した場合には、登録許可されていないユーザが入退場できてしまうという課題がある。
【０００６】
本発明は、上記課題に鑑み、無線タグを用いたセキュリティシステムのセキュリティレベルを高く持つことができるセキュリティシステムを提供することである。
【課題を解決するための手段】
【０００７】
本発明は、上記背景技術及び課題に鑑み、その一例を挙げるならば、所定エリアに設置される管理装置の受信装置に情報を送信する無線タグであって、固有のタグＩＤを記憶する記憶部と、ユーザ個人を識別できる情報を入力するユーザＩ／Ｆと、ユーザＩ／Ｆから入力されたユーザ個人を識別できる情報を取り込みタグＩＤと組み合わせた情報を送信する処理部を有するように構成する。
【発明の効果】
【０００８】
本発明によれば、無線タグを用いたセキュリティシステムのセキュリティレベルを高く持つことができるセキュリティシステムを提供することができる。
【図面の簡単な説明】
【０００９】
【図１】実施例におけるセミアクティブタグのブロック構成図である。
【図２】実施例におけるセミアクティブタグシステムのブロック構成図である。
【図３】実施例におけるセミアクティブタグシステムの処理フローチャートである。
【発明を実施するための形態】
【００１０】
以下、本発明の実施例について図面を用いて説明する。
【実施例】
【００１１】
本実施例では、無線タグを用いたシステムとして、セミアクティブタグ方式を例にとって説明する。
【００１２】
図１は、本実施例におけるセミアクティブタグの基本ブロック構成図である。図１において、セミアクティブタグ１０１は、受信アンテナ２０１により磁界からの誘導電力（トリガ信号）を受け処理部２０２が検知し起動し、ユーザＩ／Ｆ（インターフェイス）２０３より入力されているユーザ個人を識別できる情報と、記載しない記憶部に内蔵している自身の固有のタグＩＤと共に送信アンテナ２０４により外部の受信装置へ情報を発信する機能を搭載している。２０５は電池であり、セミアクティブタグ１０１が処理を行うためのエネルギを供給する。
【００１３】
ここで、ユーザＩ／Ｆ２０３は、暗証番号入力部であり、ユーザがユーザ固有の暗証番号を入力する。ユーザＩ／Ｆ２０３は、具体的には、番号を入力可能な装置であればよく、例えば、テンキーや、トグルスイッチ、ディップスイッチ、ロータリースイッチなどの機械的スイッチ等でよい。
【００１４】
図２は、本実施例における、セミアクティブタグシステムのブロック構成図である。図２において、３００はセミアクティブタグ１０１を起動するトリガ信号を送信するトリガ送信装置であり、４００はセミアクティブタグ１０１からの信号を受信してセミアクティブタグ１０１の認証や情報管理等を行なう管理装置である。以下、図２において、セミアクティブタグシステムが例えば入退室管理システムである場合について、その動作を説明する。なお、図３に本実施例におけるセミアクティブタグシステムの処理フローチャートを示し、あわせて説明する。
【００１５】
図２、図３において、セミアクティブタグ１０１には固有のタグＩＤが付されており、セミアクティブタグ１０１がユーザ（入退室者）によって所持されて使用される。そして、その使用者が例えば所定の部屋内に入室しようとしている場合、セミアクティブタグ１０１は、部屋の入口近辺に設置しているトリガ送信装置３００のトリガ装置３０１とトリガ用磁界発生コイル３０２によって発信されたトリガ信号を受信して起動し、トリガ送信装置３００からの固有の信号であるトリガＩＤを取得、受信する（ステップ３１）。
【００１６】
そして、セミアクティブタグ１０１は、ユーザＩ／Ｆ２０３から入力された暗証番号を取り込み（ステップ３２）、固有のタグＩＤとユーザＩ／Ｆ２０３から入力された暗証番号を対応付けてタグ情報として管理装置４００に発信する（ステップ３３）。なお、セミアクティブタグ１０１は、受信したトリガＩＤと固有のタグＩＤと暗証番号を対応付けてタグ情報として管理装置４００に発信してもよい。
【００１７】
管理装置４００は、受信したタグ情報を、タグ情報受信アンテナ４０２、タグ情報受信装置４０１から受信し、システム処理装置４０３で、予め記憶しているセミアクティブタグ１０１の固有のタグＩＤとそのセミアクティブタグ１０１を使用するユーザ固有の暗証番号を、受信したタグ情報と照合し、セミアクティブタグ１０１を使用したユーザが登録されたユーザであるかを照合する（ステップ３４）。その結果、セミアクティブタグ１０１を使用したユーザが登録されたユーザであることが確認されると、部屋の扉のロックを外したり、入退室者の入退室記録等の入退室管理を行う（ステップ３５）。なお、登録されたユーザでないと判断されると、ロック解除はされず、非承認の旨の表示を行う（ステップ３６）。
【００１８】
なお、ステップ３２の暗証番号の取り込みは、トリガ信号を受信したことをトリガとして取り込むが、ステップ３４での認証を失敗した場合は、リセットボタン等を設けて再度暗証番号の取り込みを行うようにしてもよい。
【００１９】
またステップ３３で、タグＩＤと暗証番号を管理装置４００に発信する際に、暗号化して送信するようにしてもよい。これにより、ユーザ固有の暗証番号のセキュリティを強化することができる。
【００２０】
また、トリガ信号を受信したタイミングでのユーザＩ／Ｆ２０３からの暗証番号入力が面倒である場合は、トリガ信号を受信する前に予め暗証番号を入力しておき、トリガ信号を受信したタイミングで処理部２０２が自動的に取り込むようにしてもよい。または、トリガ信号を受信したタイミングをＬＥＤ等で表示し、その表示をみてユーザが暗証番号取り込みボタンを押すことで暗証番号を取り込むようにしてもよい。なお、予め暗証番号を入力する場合は、暗証番号の取り込み後は暗証番号がリセットされるようにして、暗証番号が保存され何回も使用されるのを防ぐようにするのが望ましい。
【００２１】
また、ユーザＩ／Ｆ２０３は、暗証番号の入力の代わりに、指紋認証や静脈認証などの個人を識別できる装置でもよい。その場合は、ユーザはユーザI/F203に指や静脈をかざす操作を行う。
【００２２】
また、無線タグはセミアクティブタグ方式ではなく、アクティブタグ方式やパッシブタグ方式でもよい。
【００２３】
以上のように、本実施例は、所定エリアに設置される管理装置の受信装置に情報を送信する無線タグであって、固有のタグＩＤを記憶する記憶部と、ユーザ個人を識別できる情報を入力するユーザＩ／Ｆと、ユーザＩ／Ｆから入力されたユーザ個人を識別できる情報を取り込みタグＩＤと組み合わせた情報を送信する処理部を有するように構成する。
【００２４】
また、所定エリアに設置される管理装置と管理装置の受信装置に情報を送信する無線タグを用いたセキュリティシステムであって、無線タグは、固有のタグＩＤを記憶する記憶部と、ユーザ個人を識別できる情報を入力するユーザＩ／Ｆと、ユーザＩ／Ｆから入力されたユーザ個人を識別できる情報を取り込みタグＩＤと組み合わせた情報を送信する処理部を有し、管理装置は、予め記憶している無線タグのタグＩＤとその無線タグを使用するユーザ固有の識別情報と、受信装置を介して無線タグから受信したタグＩＤとユーザ個人を識別できる情報との照合を行うように構成する。
【００２５】
これにより、無線タグを用いたセキュリティシステムのセキュリティレベルを高く持つことができるセキュリティシステムを提供することができる。
【００２６】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。 
【符号の説明】
【００２７】
１０１：セミアクティブタグ、２０１：タグ受信アンテナ（受信アンテナ）、２０２：タグ処理部（処理部）、２０３：タグユーザＩ／Ｆ（ユーザＩ／Ｆ）、２０４：タグ送信アンテナ（送信アンテナ）、２０５：電池、３００：トリガ送信装置、３０１：トリガ装置、３０２：トリガ用磁界発生コイル、４００：管理装置、４０１：タグ情報受信装置（受信装置）、４０２：タグ情報受信アンテナ（受信アンテナ）、４０３：システム処理装置
【図１】
2018106570.tif 000003
【図２】
2018106570.tif 000004
【図３】
2018106570.tif 000005